(57)【要約】【課題】従来の機器では大掛かりで取り外しや、持ち運びに便利性に欠け、高コストで誰もが手軽に傍受できない問題があり、雪下ろしに事故が多発している現状に苦慮する課題がある、我が国の技術革新の顕著なる製品を吟味活用、電機電導効果の優れた電機保温効果のある低コスト製品を活用し高コストの課題や便利性を解決し積雪軽減を誰もが傍受できる融雪機器を目的とし一般家庭に提供する。【解決手段】本機器は、先行特許申請（特願２０１４―１００６３２）に付随し、本機器との総合作用効果により積雪溶解を促進し、１人にて、設置出来る特質を備え、低温設定により同機器が増設ができる、その他独自機能、雨樋、水道管、下水管、等の凍結防止に有効活用でき、軽量、折り曲げや、捲く等のコンパクト収納ができる特質を備えた、積雪凍結融解機器。【選択図】図４
2018009295.tif 000002
【特許請求の範囲】
【請求項１】
本機器は、先行特許申請（特願２０１４―１００６３２）に付随し、本機器との総合作用効果により積雪溶解を促進し、１人にて、設置出来る特質を備え、低温設定により同機器が増設ができる、その他独自機能、雨樋、水道管、下水管、等の凍結防止に有効活用でき、軽量、折り曲げや、捲く等のコンパクト収納ができる特質を備えた、積雪凍結融解機器。
【発明の詳細な説明】
【技術分野】
【０００１】
本発明は、融雪ヒータ機器。
【背景技術】
【０００２】
従来の融雪機器は、ラバーマツトシート・パネルボード仕様で有る為、大がかりで取り外しや運搬が、容易でなく（例えば、特許文献１参照）（特許文献２参照）（特開２０１４−３７７０３）に観られるように、便利性や業者管理による、高コストの問題課題がある。
【先行技術文献】
【特許文献】
【０００３】
【特許文献１】特許第４６８０６８７号  屋根融雪システム
【特許文献２】特開２０１３−２５６８０３号  融雪シート
【特許文献３】特開２０１４−３７７０３号  滑雪装置
【発明の概要】
【発明が解決しようとする課題】
【０００４】
以上に述べた従来の融雪機器は、大掛かりで、取り外し・持ち運びに便利性や、＜コスト高に業者管理システム＞に問題が有り、自己の雪下ろしに、近年特に、高齢化が進み毎年事故が多発する現状に苦慮する課題がある、我が国の技術革新の顕著なる製品を吟味活用、電気電導効率の優れた、低コストの製品を活用し、高コストの課題を解決し、積雪軽減を誰もが手軽にできる便利さを利用できる、低コストを目的とし一般家庭に提供する。
【課題を解決するための手段】
【０００５】
本発明は、安全法に基づき低温設定の特質ある、低コストの製品を掘り起こし軽量で持ち運びに便利な、折畳みや捲くことが可能で有り、ガラスハウス・ビニールハウス・一般家庭の屋上、その外必要比所に設置し、積雪や凍結を溶解し負担を軽減する。
【発明の効果】
【０００６】
上述のように、低コスト化を図り、軽量であるため誰もが手軽に持ち運びや、移設を１人で、できる特質により本機器融雪装置は、先行特許申請（特願２０１４−１００６３２）の補助融雪機器に該当し、相互補助による効果が促進される、其の他独自の用途にも利用できる凍結溶解は、広く普及するは、多くの事故や倒壊を未然に防ぐことができると確信する。
【図面の簡単な説明】
【０００７】
【図１】本発明の実態形態を示す熱電導配線平面図。
【図２】本機器の電導設置配置形態側面図であり、家上網型及び棒状ヒ―タ設置形態を示し、○印は本機器設置方法形態を示す。
【図３】発熱線電導内部断面図。
【図４】ビニールハウス本機器配置形態側面図であり、○印は本機器設置方法形態を示す。
【発明を実施するための形態】
【０００８】
以下、本発明の実施形態を図１〜図４に基づいて説明する。
図１は、一般家庭電気通電コンセント１００Ｖを使用し図１屋上に設置、図１のＢ網目融雪ヒータ熱伝導により、積雪溶解した水滴が樋に流れる、図１Ｃ図２Ｃ棒状ヒータ熱により、水滴が氷柱等の凍結防止を抑制し、図１Ｃ図２Ｃ棒状熱ヒータ線が積雪や凍結を溶解し下水管に流れるよう補助する形態を示す。
図１Ｃ棒状ヒータ線保護強化に金属線や難燃糸で保護しその形状にて樋や水道管に設置。
図２は、屋上及び樋に配置図２Ｃ機器配置形態完成図。
図３は、本機器の内部電機熱伝導帯断面図、図１Ｅ発熱体芯を示し図３Ｆガラス帯部により高熱を抑制し図３Ｇ漏電防止絶縁体を示す。
図４は、ビニ−ルハウス本機器設置形態を示し、低温定格設定により、ビニールハウスにも適合し、図４Ｃはビニ−ルハウス側面に融解した水滴凍結防止補助を示す。
【０００９】
本機器は軽量設定、低温設定により、移設増設が一人で手軽にできる特質がある。
【符号の説明】
【００１０】
Ａ１電源コードプラグ
Ａ２アース線
Ｂ網型熱伝導帯
Ｃ棒状ヒ−タ線
Ｄ防水電圧コントロールボックス
Ｅ中芯発熱線
Ｆガラスウール耐熱帯部
Ｇ耐熱絶縁体部
【図１】
2018009295.tif 000003
【図２】
2018009295.tif 000004
【図３】
2018009295.tif 000005
【図４】
2018009295.tif 000006
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
屋根上に設置する融雪ヒ−タは、網形帯状に併設して成り積雪を溶解し且つ凍結防止 を補助ヒ−タが補佐し樋に誘導し流配する、一般家庭電源又は他の電源により作動し折り
曲げや巻くことができ、一定温度定格による熱伝導体と絶縁断熱皮膜耐圧皮膜した線材か
らなり、網状による特定電気法に依らない、電気電導電熱構成を成したことを特徴とする
融雪機器。
【手続補正２】
【補正対象書類名】明細書
【補正対象項目名】０００９
【補正方法】変更
【補正の内容】
【０００９】
実施例１
図２は、一般家庭屋根に於ける融雪機器設置の推定イメ−ジ図であり、図１Ｂや図Ｂ
が網形に電熱ヒ−タをU字形１２ｃｍピッチ間隔で併設し、専用クリップ止めした融雪機
器が積雪溶解する、その溶解の水滴を図１に示すＣや図２のＣが凍結を補助するものであ
る。
実施例２
ヒ−タ設置網形は、不燃材質（ＰＰ）を使用し補助器機も同じ材質を使用し、帯状、棒状に変化する特質により、単体使用可能であり、（樋や、水道管、に巻き付ける等）下水の凍結に使用し其の凍結防止を補助するものである。
実施例３
網形融雪や補助器機は、防水性で有り、其の接続方法は、特定の防水コネクタ−を使用している、任意によりコネクタ−の接続や取り外しも可能である。
実施例４
網形融雪機器は、不燃材質を使用し（ＰＰ）により、その形状は軽量であり持ち運びに便利で有り、＜一人で設置できることに特徴＞がある。
実施例５
実施例効果、ヒ−タ線は、製造メイカ−により其の比率が＜（Ｖ）)数＝（Ｗ）数＝により熱量＞（Ω）が異なり、その比率により＜長さ×（Ｖ）数の構成の設定＞をしなければならない。
ヒ−タ構成は、電源１００（Ｖ）限定により、電気供給熱量（Ω）抑えるために＜サ−モスタット温度調節を低格設定＞し長さの増大と拡張を図り、その面積を融雪するが（Ｖ）数熱量の（Ｗ）数範囲を超えるものではなく、ヒ−タの熱量をサ−モスタットにより特定する設定は＜＋４ＣよりＯＮ入電〜１２Ｃ＞よりヒ−タが積雪を融解する、その構成は＋−の誤差が有る為の構成により、又外気温度差に影響を受けやすく、積雪の融解に時間差があることは否めないが、早期、積雪と同時にスイチ電源を入れ融雪実施は、積雪を防止することができる。
実施例効果例７
サ−モスタットは、熱量の増減を特定するものであり、図１のＡ２の電源基を経由しヒ−タ線が其の配列行程を融雪する、サ−モスタット、特に熱量の低さを特定し１００（Ｖ）２０（Ａ）３０（Ａ）を使用により、早期の融雪溶解はできない課題もあるが、定格低温設定条件により＜長期安価使用＞ができる特徴があり、降雪と同時に（スイチ）熱源供給をすれば降雪による、積雪は防止できる。
実施例効果８、
融雪器機設置は、予め天気予報などにより、降雪前に設置し降雪時に電源を入れ、融雪を実施する。
融雪器機設置方法は、網形は、強度保持のため太い外枠を設けている、外枠に別の紐やロ−プ状のもので固定し、風などの影響に犯されないように屋根に固定する、＜補助機も同じであり＞降雪期間が過ぎ不必要の時は外しロ−ル状に巻く、折りたたむ等してこまめに収納すれば、長期使用が可能になる。
我が国の電気技術の顕著成る物を吟味し電気構成に基づき＜特定電気法＞に依らない構成を成した融雪器機である。